Podtech/llm-jp-corpus-v4-ja_patent huggingface dataset:
(57)【要約】      （修正有）【課題】ワイヤーを任意の位置、数量に調節でき、かつ収納し易くたたみ込める構造とする事で、今まで以上の携帯性能をもたせた可変式ワイヤー装備疑似餌を提供する。【解決手段】本体の内部には、ナット構造、ボルト構造を有し、ネジ形式を構成している為、本体を回転させ緩めることで、本体を２分解でき、それにより装備ワイヤーを交換したり、本数を変更したり、束ねたるすることが可能となる。【選択図】図１
0003178303.tif 000002
【実用新案登録請求の範囲】
【請求項１】
本体内部にネジ構造を有し、緩めることで装備ワイヤーの本数を変更できる可変式ワイヤー装備疑似餌
【請求項２】
本体に溝構造を有し、装備ワイヤーをはめ込むことで、装備ワイヤーを固定出来る可変式ワイヤー装備疑似餌
【請求項３】
本体に溝構造を有し、装備ワイヤーをはめ込む位置を任意に選択できる可変式ワイヤー装備疑似餌
【請求項４】
本体に装着している装備ワイヤーを、全て外すことで単体の疑似餌としての使用が可能な可変式ワイヤー装備疑似餌
【請求項５】
本体内部にネジ構造を有し、緩めることで装備ワイヤーを束ねることが出来る可変式ワイヤー装備疑似餌
【請求項６】
本体内部にネジ構造を有し、本体を分解できる可変式ワイヤー装備疑似餌
【請求項７】
本体内部にネジ構造を有し、本体を分解し装備ワイヤーを交換出来る可変式ワイヤー装備疑似餌
【考案の詳細な説明】
【技術分野】
【０００１】  本考案は可変式ワイヤー装備疑似餌に関する。
【背景技術】
【０００２】従来のアラバマ系疑似餌（ルアー）は本体から出るワイヤーが固定されており、使用設定後の位置変更や折りたたみが困難で破損の恐れが寛大であった。【０００３】
【先行技術文献】
【特許文献】
【非特許文献】
【考案の概要】
【考案が解決しようとする課題】
【０００４】本考案は、以上のような従来の欠点に鑑み、その日の状況に応じて使用者がワイヤーを任意の位置、数量を調節でき、かつ収納し易くたたみ込める構造とする事で、今まで以上の携帯性能と釣果、今まで釣ることが出来なかった魚を釣るための集魚力や誘惑力を提供する事を目的としている。
【課題を解決するための手段】
【０００５】上記目的を達成する為、本考案では（［請求項１〜７］の構成要件）とで可変式ワイヤー装備疑似餌を構成している。
【考案の効果】
【０００６】以上の説明から明らかなように、本考案にあたっては次に列挙する効果が得られる。
（１）（［請求項１〜７］の構成要件）とで構成されているので、ネジ式で固定されている本体を緩めることで装備ワイヤーを纏められ携帯性を向上させることができる。【０００７】（２）（［請求項１〜７］の構成要件）とで構成されているので、ネジ式で固定されている本体を緩めることで装備ワイヤーを纏められワイヤー位置の変更が可能である。【０００８】（３）（［請求項１〜７］の構成要件）とで構成されているので、ネジ式で固定されている本体を緩めることで装備ワイヤーを纏められワイヤー数量の変更が可能である。【０００９】（４）（［請求項１〜７］の構成要件）とで構成されているので、ネジ式で固定されている本体を緩めることで装備ワイヤーを纏められワイヤーを完全に取り去り一つの疑似餌としての使用が可能である。
【図面の簡単な説明】
【００１０】
【図１】可変式ワイヤー装備疑似餌を上から見た場合の平面図である。
【００１２】
【図２】本考案を実施する為の実施例１を示した側面図である。
【００１３】
【図３】可変式ワイヤー装備疑似餌を分解した時の側面図である。
【考案を実施するための最良の形態】
【００１４】以下、本考案の実施の形態を図に基づいて説明する。
【実施例１】
【００１５】図２は本考案可変式ワイヤー装備疑似餌の実施例１の側面図であって、疑似餌（ルアー）と組み合わせて使用した状態である。
【産業上の利用可能性】
【符号の説明】１装備ワイヤー
２本体
３ネジ
４溝構造部分
５疑似餌（ルアー）
【図１】
0003178303.tif 000003
【図２】
0003178303.tif 000004
【図３】
0003178303.tif 000005
【手続補正書】
【提出日】平成24年6月19日(2012.6.19)
【手続補正３】
【補正対象書類名】実用新案登録請求の範囲
【補正対象項目名】全文
【補正方法】変更
【補正の内容】
【実用新案登録請求の範囲】
【請求項１】
本体内部にはナット構造、ボルト構造を有しネジ形式を構成している為、本体を回転させ緩めることで、本体を２分解できる可変式ワイヤー装備疑似餌。
【請求項２】
ネジ構造の本体を緩めることで、本体を２分解し装備ワイヤーを交換出来る事を特徴とする請求項１記載の可変式ワイヤー装備疑似餌。
【請求項３】
ネジ構造の本体を緩めることで、本体を２分解し装備ワイヤーの本数を変更できる事を特徴とする請求項１記載の可変式ワイヤー装備疑似餌。
【請求項４】
ネジ構造の本体を緩めることで、本体を２分解し装備ワイヤーを全て外すことで単体の疑似餌として使用できる事が特徴の請求項１記載の可変式ワイヤー装備疑似餌。
【請求項５】
ネジ構造の本体を緩めることで、装備ワイヤーを束ねることが出来る事が特徴の請求項１記載の可変式ワイヤー装備疑似餌。
【請求項６】
本体後部に溝構造を有し、装備ワイヤーをはめ込むことで、装備ワイヤーを任意の位置に固定出来る事が特徴の請求項１記載の可変式ワイヤー装備疑似餌。
【請求項７】
本体後部に溝構造を有し、装備ワイヤーをはめ込む位置を任意に選択できる事が特徴の請求項１記載の可変式ワイヤー装備疑似餌。
(57)【要約】      （修正有）【課題】汎用性を向上させた書籍用行しおりを提供する。【解決手段】２片を１対とし、各片は長方形で上部より縦方向下に向かってその全体の３分の１位のところで折り曲げてある。また折り曲げてある長方形の上部には上部の幅の２分の１位の幅で、一片は右側部位に、もう一片は左側部位に縦方向上に向かって、ほぼ方形の突出した突出片を有する。【選択図】図１
0003178307.tif 000002
【実用新案登録請求の範囲】
【請求項１】
２片で１対からなり、１片は長方形で、上部より縦方向下にむかって３分の１位で折り曲げてある。また、長方形の上部には、その上部の幅の２分の１位の長さで、その右側部位に縦方向上に向かってほぼ方形の突出した突起片を有することを特徴とする（書籍用自動しおり）に併用して用いる（書籍用行しおり）。
対となる１片は突出片が、上部左側に有すること以外は同じである。
【考案の詳細な説明】
【考案の詳細な説明】
【産業上の利用分野】
【０００１】この考案は（書籍用自動しおり）と併用する（書籍用行しおり）に関するものであり、最近の電子書籍の発展に対して、従来からの紙書籍の維持、発展に貢献することに関するものである。
【背景技術】
【０００２】以下詳細に記載されるように、この（書籍用行しおり）は２片を１対として構成されるものであるが、この明細書ではこの折りまげた部分を「幅方向」１といい、これに直交する方向を「縦方向」２という。折り曲げた部分を有する部分を「裏部分」３、有しない部分を「表部分」４とする。
【考案が解決しようとする課題】
【０００３】本を読んでいるときに、（書籍用自動しおり）により頁は特定できても、見開きの左頁と右頁の、どの行で前回読み終えたか特定するのに、いくらか苦労していた。その点（書籍用行しおり）があると特定が容易にできるので、行を探す困難さの弊害を解消したといえる。
【０００４】この発明は（書籍用自動しおり）と併用する（書籍用行しおり）に関するものであり、より詳しくは本出願人による実願２０１２−１９４９の発明（書籍用自動しおり）と併用する（書籍用行しおり）に関するものである。
【０００５】かかる現状に鑑みて、この考案の目的は（書籍用自動しおり）に併用させる（書籍用行しおり）の汎用性を向上させることにある。
【課題を解決するための手段】
【０００６】この考案においては、２片で１対のもの。その２片は突出部分が左側と右側の違いだけで、そのほかは同じである。従来は本出願人による実願２０１２−１９４９の発明（書籍用自動しおり）のようなシステム発想が存在しなかったため、このような（書籍用行しおり）の発明に着想到達することは、ほとんど不可能に近かったといえる。したがって今回（書籍用自動しおり）による頁の特定の容易さに加えて、さらに行特定の困難さの弊害が解消されたといえる。
【考案を実施するための形態】
【０００７】２片で１対のもの、書籍の見開きの左頁用と右頁用に使用される。
書籍の前の２頁と３頁の２枚分の上部に（右頁用の行しおり片）を挟み乗せて、また書籍の後ろから頁４枚めと５枚めの２枚分の上部に（左頁用の行しおり片）を同様にして装着する。読み終えた行に合わせて（行しおり）を横方向にスライドさせて使用することで、充分機能的効果は発揮するといえる。
【実施例】
【０００８】この考案の（書籍用行しおり）の１例を＜図４＞ｆに示す。
見開き頁の左頁の左端に、（左頁用行しおり）を、右頁の右端に（右頁用行しおり）をセットしている状態を、作動していない状態と予め決めておく。
見開きの右頁で読み終えた行のケースでは＜図４＞ｇ、左頁では＜図＞ｈとなる。【０００９】＜図３＞ｄ，ｅに示すように、使用に際しては書籍の最初の２頁めと３頁めの２枚分に（見開き右頁用行しおり）を、終わりの４頁めと５頁めの２枚分に（見開き左頁用行しおり）を装着すればよい。（終わりから３枚分には自動しおりを装着する。）自動しおり装着の安定のため４頁めを挟んで５頁めと６頁めの２枚に（見開き左頁用行しおり）を装着してもよい。【００１０】＜図４＞ｇ，ｈに示すのが使用状態の（書籍用行しおり）である【００１１】（書籍用自動しおり）と併用して、全ての書籍に併用できる。
【図面の簡単な説明】
【００１２】
【図１】見開き右頁用行しおり  ａ−前面図  ｂ−後面図
【図２】ｃ見開き右頁用行しおりの斜視図である。
【図３】行しおりの装着の仕方。ｄ−見開き右頁用行しおりを装着する時。ｅ−見開き左頁用行しおりを装着する時。
【図４】実際の使用状態である。ｆ−作動させていない状態。ｇ−見開き右頁に作動。ｈ−見開き左頁に作動。
【図５】実施例  作動させていない状態。
【符号の説明】１−幅方向
２−縦方向
３−裏部分
４−表部分
５−自動しおり
６−見開き右頁用行しおり
７−見開き左頁用行しおり
８−突出片
【図１】
0003178307.tif 000003
【図２】
0003178307.tif 000004
【図３】
0003178307.tif 000005
【図４】
0003178307.tif 000006
【図５】
0003178307.tif 000007
【手続補正書】
【提出日】平成24年6月20日(2012.6.20)
【手続補正１】
【補正対象書類名】実用新案登録請求の範囲
【補正対象項目名】全文
【補正方法】変更
【補正の内容】
【実用新案登録請求の範囲】
【請求項１】
２片で１対となっており、１片は長方形で上部より縦方向下に向かって３分の１位で折り曲げてあり、その折曲げた後の上部には、その上部の幅の長さの２分の１位の幅の長さで、右側部位において縦方向上に向かって、ほぼ方形に突出した突起片を有し、もう１片は長方形で上部より縦方向下に向かって３分の１位で折り曲げてあり、その折り曲げた後の上部には、その上部の幅の長さの２分の１位の幅の長さで、左側部位において縦方向上に向かって、ほぼ方形に突出した突起片を有することを特徴とする書籍用行しおり。
(57)【要約】      （修正有）【課題】釣り上げた魚の糸を手で持って魚に触れることなく把手部を持ち２本の棒の間に針を入れて軽く回すことで針がはずれる、簡単針はずしを提供する。【解決手段】プラスチック製の把手部３の先端から２本の金属の棒状体１、２が平行に突出しているこを特徴とする簡単針はずしであり、金属製の棒状体のうち１本は先端をＬ字形に屈曲しており、好ましくは金属製の棒状体のうち１本は短く、もう１本は長く先端にはＬ字形屈曲を付け、どの角度からでも針を外すことが出来る。【選択図】図１
0003178355.tif 000002
【実用新案登録請求の範囲】
【請求項１】
プラスチック製の把手部の先端から２本の金属の棒状体が平行に突出しているこを特徴とする簡単針はずし。
【請求項２】
金属製の棒状体のうち１本は先端をL字形に屈曲したことを特徴とする請求項１記載の簡単針はずし。
【請求項３】
金属製の棒状体のうち１本は短く、もう１本は長く先端にはL字形屈曲を付け、どの角度からでも針を外すことが出来るということを特徴とする請求項１又は２記載の簡単針はずし。
【考案の詳細な説明】
【技術分野】
【０００１】
この考案は魚を手で持たずにして、把手について居る２本の棒状体を利用して、針をはずすものである。
【背景技術】
【０００２】
針はずしは従来いくつかの種類が知られており形状としては、１本のプラスチック製や金属の棒に針が入る、溝がカットされている物や、スプリングを使用して指先で引っ張ってはずすなど知られている。
【０００３】
しかし、今までの針はずしは適用部位に加えられる指先での手加減によっては適用部位の形状に調節しなければならず面倒である、
使用者の手加減によって必ずしも適切な力を加えても、はずれるものとは言えない、図４は従来の針はずしを示したものであり、従来の針はずしは使用者にとって適度に指先での手加減をしなければならず、単調で、使用しずらいという欠点がある。特許文献１の考案は、この従来の針はずしと同種のものである。
【先行技術文献】
【特許文献】
【０００４】
【特許文献１】特開平2002-218892 号公報
【考案の概要】
【考案が解決しようとする課題】
【０００５】
本考案が解決しようとする問題点は通常の針はずしは、使用者が適切な手加減で調節しなければならない点である、本考案は、これらの問題点も解決した、簡単針はずしを提供する。すなわち樹脂製の把手部に２本の金属製の棒状体を平行に詰めたものである。例えば１本の先端をL字形に屈曲して、これをテコにして針を軽く押さえて手首で軽く回すことで簡単に針をはずす効果を期待するものであり簡単針はずしとして提供するものである。
【課題を解決するための手段】
【０００６】
本考案は把手の部をプラスチックを使用して形成する。それに２本の金属の棒を加える。例えば１本はストレートのもの、もう１本は先端にL字形の屈曲をつけて針はずしとして最も重要な特徴とする。より詳しく本考案は、プラスチックの把手から２本の金属の棒の間に針を通してL字形を上側にしてストレートの棒を下側にして、２本の棒状体の間に針をいれて針を軽く抑えるようにして手首で軽く右に回すと針は抵抗なくはずれる、釣った魚の口元の針によって左右どの位置からでもはずすことが出来る特徴とする簡単針はずしである。
【考案の効果】
【０００７】
本考案は２本の金属棒状体を配置し例えば１本をＬ字形に屈曲をさせたので魚の類類問わず釣った魚を釣り糸を持って魚に触れることなくはずすことが出来ること、魚に触れるのが苦手な方や、毒性を持った魚やとがった魚のえらや、魚の歯などによって指先の怪我などの防止安全に使用できる効果も利点がある。
【図面の簡単な説明】
【０００８】
【図１】図１は本考案の簡単針はずしを示した平図面である。
【図２】図２は本考案の簡単針はずしを示した側面図である。
【図３】図３は本考案の簡単針はずしの使用例を示した図である。
【図４】図４は従来の針はずしを示した説明図である。
【考案を実施するための形態】
【０００９】
本願はプラスチック把手部に２本の金属の棒状体を備えた、先端にＬ字形の屈曲を付け針はずしを実施した。
実施例１より図１、図２を参照しながら構成要素別に説明する。
【実施例１】
【００１０】
本考案に掛かる針はずしにおいて把手部をプラスチック製として２本の金属の棒状体を平行に配置し、１本はストレートのものに、もう１本は先端がＬ字形になっている屈曲部、Ｌ字形の角度は90度にしているが、この角度は90度〜135度の角度であっても良い。この角度の部を２本の棒状体に針をまたいで１本の先端Ｌ字形でテコにして手首で軽く回すことで針が外れるので角度は60度〜150度開いても良い。
【００１１】
針はずしの素材は把手部プラスチック、木製、金属製でも良い。それに２本の金属の棒状体は、ステンレス製又は、硬質プラスチックでも良い、
(図１〜図３では)３Фのステンレス製の棒を切断して使用しているが四角形状又は五角形状の棒でも良い、２本の間を２ｍｍ〜２.５ｍｍにして２本は平行に保って１本は長く先端はL字形にしておく。これらの簡単針はずしは金属を使用した射出成型でインサート一体成型でも良い。
【００１２】
この簡単針はずしは把手部をプラスチック製にして、そこから２本の金属の棒状体を出して、１本はストレートとして、もう１本はストレートよりやや長くして、その先端をL字形にした物である。釣った魚を手で持つことなく(図３参照)、一方の手５で釣り糸をもち、１本はストレートの物、もう１本はL字形にした物である、この２本の間に針を通し、ストレートの物を中心に他方の手の手首で軽く回し、長い方の物で針を引き抜くようにして針を外すことが出来るのである、本考案の簡単針はずしは安全に使用できる、
多くの釣り人、子供たち女性にも実現使用できる利点がある。
なお図中符号４は、紛失防止のひも通し穴である。
【産業上の利用可能性】
【００１３】
本考案により釣りの趣味をもった人達釣り人、又は釣り船業界などに産業として貢献することが出来る、又場合によっては輸出産業としても期待できると考えるものである。
【符号の説明】
【００１４】
１  L字形の棒状体
２  ストレートの棒状体
３  把手部、  
４  紛失防止ひも通し穴
５  手
６  針入
７  柄部
【図１】
0003178355.tif 000003
【図２】
0003178355.tif 000004
【図３】
0003178355.tif 000005
【図４】
0003178355.tif 000006
(57)【要約】      （修正有）【課題】風雨に晒され続けた結果錆び付いた型枠の解体に伴って回収されるターンバックルを、転用に向けてできるだけ速く錆落とし等のメンテナンスをできる様にした電動機接続用のボス孔を有するソケット状のホルダを提供する。【解決手段】ターンバックルのフック付きボルトのフック８を挿入したときこれに当接する等分４箇所のリム３を備えたソケット状のホルダーを正逆転可能な電動機６にセットする。ただしフックをソケットに挿入したときボルトの中心軸と電動機の回転軸７が必然的に一致する様、該４箇所のリム３に外に向かって拡がる勾配をつける。【選択図】図３
0003178334.tif 000002
【実用新案登録請求の範囲】
【請求項１】
ターンバックルのメンテナンスのための用具であって円筒状のソケット内に等分に４箇所の外に向かって拡がる傾斜付きリムを有してターンバックルのフック付きボルトのフックが該リムの側面に接する様に加工されている電動機接続用ボス孔を有する概ねソケット状のホルダー。
【考案の詳細な説明】
【技術分野】
【０００１】  鉄筋コンクリート造の建築物を建てる場合、生コンを打設する型枠が必要であり、該型枠は当然所定の寸法に組み立てられていなければならないし、生コンの打設圧に耐え得る強度が要求される。そのため型枠には内部にはセパレーター、外部には単管パイプ、サポートなど様々な支保部材が使用される。これら支保部材のひとつにターンバックルがあり、これにも様々な形状およびサイズのものがあるが、基本的には雌螺旋を有する胴と雄螺旋のフック付きボルトで構成されている。そしてこのターンバックルも含めて支保部材の多くは転用して使用されるため使用前後のメンテナンスが欠かせない。
本考案は該ターンバックルのメンテナンスに供する用具に関する。
【背景技術】
【０００２】  上述のごとくのターンバックルの材質にはステンレス製又は鉄製の２種類があるが、ステンレス製は極めて高価であるため一般的には鉄製のものが普及している。
建築現場におけるターンバックルは雨、霧など湿気をもった外気の中で使用されるので鉄製ターンバックルはその使用の最中から発錆してしまう。したがって型枠を解体したら直ちに回収し、できるだけ早く胴部とフック付きボルト部を螺脱分離し、錆落しやオイル被膜処理などのメンテナンス作業を行う必要がある。
【考案の概要】
【考案が解決しようとする課題】
【０００３】  上述のように使用後のターンバックルのメンテナンスは必須の作業であるにも拘らず、ターンバックルの機能即ちこれを使用して２点間の引張力を調整するという機能を生かすべく該胴部両端に螺合するボルトのネジ長は極めて長く、したがって現状手作業で行っている該ボルトの螺脱及びその後の螺合して保管しておくというメンテナンス処理に多大の労力と時間を費やしている。
【課題を解決するための手段】
【０００４】  本考案者は鋭意研究した結果、回転方向自在な例えば市販のバッテリードライバーの如きの電動機器さえあればターンバックル両端に使用されるボルトを簡単に該胴部から着脱できるホルダーを開発することに成功した。【０００５】  以下、本考案によるターンバックルのメンテナンス用ホルダーについて詳しく説明する。
図１は本考案によるホルダーのイメージ図である。ここで符号１はターンバックルのボルトのフック部分を銜えるソケット部、符号２は該フック部分を内包するための空間、符号３は空間部２に入り込んだ該フックに当接し回転力を伝えるためのリムであって正面から見て等分に４箇所ありソケット部１の回転軸と該フックのネジ部即ちボルトの中心軸が偏心することがない様、傾斜をつけてある。このように駆動側の回転軸と該ボルトの中心軸を一致させることにより該ボルトの回転時のぶれを防止し安全且つ短時間で該着脱作業を行うことができる。符号４は駆動側の軸に該ホルダーを取付けたときにこれを軸に固定するためのネジである。
図２は本考案によるホルダーの断面図であり、ここで符号５は電動機６の軸７と嵌合するボス孔である。矢印の方向に入れた後、ネジ４を締めて電動機の回転軸に固定される。
図３は本考案によるホルダーにターンバックルをセットしたときの状態図である。ここで符号８はターンバックルのボルトのフック部分、符号９は同じくネジ加工部、また符合１０はターンバックルの胴部分であり、該ボルトを着脱するときは図のように該胴部分を握って若干押し気味にしてホルダーを回転させる。このようにターンバックルを押すことによってソケット内側に等分に配置された４箇所のリム３の中心軸に対称な傾斜の効果によって必然的に該回転軸とボルトの中心軸が一致する様になっている。
【考案の効果】
【０００６】  上述のごとくの本考案によるホルダーを使用すればターンバックルのフック付きボルトの着脱作業が早く且つ容易に成されるのでターンバックルのメンテナンスにおける作業効率の向上と労力の低減に多大な効果をもたらす。
【図面の簡単な説明】
【０００７】
【図１】  本考案によるホルダーのイメージ図
【図２】  本考案によるホルダーの断面図
【図３】  本考案によるホルダーにターンバックルをセットした状態図
【考案を実施するための形態】
【０００８】  本考案によるホルダーは専用の据え置き型正逆転機能付き電動装置あるいは市販のバッテリードライバー（通常、正逆転機能が付いている）に簡単に取り付けることができ、使用法も上述のごとく非常に簡単である。またリム３に傾斜がついていることでどんなサイズのフックでも当接面が生じ１種類のホルダーで間に合う便利さを有している。
【産業上の利用可能性】
【０００９】  本考案によるターンバックルのメンテナンス用ホルダーを使用すればターンバックルのフック付きボルトの胴部からの着脱が短時間に行えるので作業現場での使用前後において要求されている保守管理のための作業効率が大幅に向上する。その結果労働条件の改善と経済的効果に大いに寄与するので当業界における利用の可能性は非常に大きいと思われる。
【符号の説明】
【００１０】１，  ソケット部
２，  フック部を内包する空間
３，  フック部に当接するリム
４，  固定用ネジ
５，  ボス孔
６，  電動機
７，  電動機の回転軸
８，  ボルトのフック部
９，  ボルトのネジ加工部
１０，胴部
【図１】
0003178334.tif 000003
【図２】
0003178334.tif 000004
【図３】
0003178334.tif 000005
(57)【要約】      （修正有）【課題】薬局或いは医療機関における錠剤の調剤後の監査や持参薬の管理において、また、服用者が服用時に、薬剤を容易に識別し得る錠剤を提供する。【解決手段】錠剤の表面に薬剤名又はその略名１をマーキングしてなる錠剤を構成する。より好ましい錠剤は、錠剤の表面中央に錠剤含量２に対応する数字をマーキングし、その上下に薬剤名又はその略名１及び会社名３又はその略称・略号をそれぞれマーキングしてなる錠剤であって、錠剤の両面にマーキングしたものである。【選択図】図１
0003178311.tif 000002
【実用新案登録請求の範囲】
【請求項１】
錠剤の表面に薬剤名又はその略名をマーキングしてなることを特徴とする錠剤。
【請求項２】
錠剤の表面に薬剤名又はその略名、及び会社名又はその略称・略号をマーキングしてなることを特徴とする錠剤。
【請求項３】
錠剤中の薬剤含有量に対応する数字をさらにマーキングしてなることを特徴とする請求項１又は請求項２に記載の錠剤。
【請求項４】
錠剤の表面中央に錠剤含量に対応する数字をマーキングし、その上下に薬剤名又はその略名及び会社名又はその略称・略号をそれぞれマーキングしてなることを特徴とする錠剤。
【請求項５】
錠剤の両面にマーキングしてなることを特徴とする請求項１〜４記載の錠剤。
【考案の詳細な説明】
【技術分野】
【０００１】
本考案は、薬局或いは医療機関における錠剤の調剤後の監査や持参薬の管理において、また、服用者が服用時に、薬剤を容易に識別し得るように薬剤情報がその表面に表示された錠剤に関するものである。
【背景技術】
【０００２】
現在、薬局或いは医療機関等において服用時期毎に薬剤を同一袋内に充填し
て投与する所謂一包化調剤が行われている。しかしながら、一包化調剤の際に
錠剤の包装は解かれるために、従来の錠剤つまり薬剤情報が記号で刻印された
錠剤は薬剤の識別が困難であり、誤調剤の原因の一つとされてきた。
【０００３】
また、薬剤投与後、特に数種の薬剤を服用している服用者は服用時毎に正し
い薬剤を服用しなければならないが、上述のような従来の薬剤は薬剤の識別が
困難であるため誤服用の危険性が否めない。
【０００４】
さらに、服用者が他の医療機関へ罹る際に服薬情報の管理が必要であるが、
従来の薬剤は薬剤の識別が困難であるため薬剤管理に薬剤師は時間を要し、監
査業務等の時間を圧迫するために調剤過誤の原因にもなりかねない。
【先行技術文献】
【特許文献】
【０００５】
【特許文献１】国際公開２００６／１２６５６１号公報
【考案の概要】
【考案が解決しようとする課題】
【０００６】
本考案の課題は、薬局或いは医療機関における錠剤の調剤後の監査や持参薬の管理において、また、服用者が服用時に、薬剤を容易に識別し得る錠剤を提供することにある。
【課題を解決するための手段】
【０００７】
本考案は、薬剤の視認性を向上させるために、薬剤名や他の薬剤情報をマー
キングしてなることを特徴とする錠剤を特徴とする。
【０００８】
また、薬剤名他の薬剤情報が両面にマーキングされた錠剤を特徴とする。
【考案の効果】
【０００９】
本考案は、薬剤名他の薬剤情報をマーキングされた錠剤で、これにより調剤過誤や誤服用による健康被害を防止することが可能となる。
【図面の簡単な説明】
【００１０】
【図１】図１は、錠剤の表面に薬剤の略名等の薬剤情報を具体的に記載した説明図である（実施例１）。
【考案を実施するための形態】
【００１１】
薬剤の処方の際あるいは患者が薬剤を服用する際に、薬剤名や服用量等を容易に確認できる錠剤を得るという目的を、その表面に最小限必要な当該情報をマーキングすることにより実現した。
【実施例１】
【００１２】
図１は、前期特許文献１に記載の方法により、錠剤の表面中央に錠剤含量に対応する数字をマーキングし、その上下に薬剤名又はその略名及び会社名又はその略称・略号をそれぞれマーキングしたもので、その平面図を示したものである。
【産業上の利用可能性】
【００１３】
本考案の錠剤は、薬剤名、含量、メーカー等を容易に確認することができるので、薬剤の誤服用等の医療過誤を防ぐことができ、極めて有用である。
【符号の説明】
【００１４】
１  薬剤名の略名
２  薬剤含有量に対応する数字
３  会社名の略称
【図１】
0003178311.tif 000003
【手続補正書】
【提出日】平成24年7月5日(2012.7.5)
【手続補正１】
【補正対象書類名】図面
【補正対象項目名】図１
【補正方法】変更
【補正の内容】
【図１】
0003178311.tif 000004
(57)【要約】      （修正有）【課題】家庭で、電動のやすりまたはその他のやすりを用いて、人体のかかとの角質や工作の材料を削る時に発生する、俗に言う「削り粉」の飛散を防ぐためのカバーを提供する。【解決手段】やすりを持った手の差し入れ口２とやすりがけの対象となる足や工作の材料の差し入れ口３をもち、内部に作業する空間を確保した、透明フィルムで作られている、ドーム状のカバーであり、やすりがけ作業をする空間全体を覆うことで削り粉の飛散を防止する。【選択図】図１
0003178318.tif 000002
【実用新案登録請求の範囲】
【請求項１】
やすりがけ作業に対する可視性を損なわずに削り粉の飛散を防止するため、内部が見える透明なフィルムで作られていて、やすりを持った手の差し入れ口とやすりがけの対象となる足や工作の材料の差し入れ口をもち、内部に作業する空間を確保した、やすりがけ作業する空間全体を覆うドーム状のカバー。
【考案の詳細な説明】
【技術分野】
【０００１】  本考案は、家庭で、電動のやすりまたはその他のやすりを用いて、人体のかかとの角質や工作の材料を削る時に発生する、俗に言う「削り粉」の飛散を防ぐためのカバーに関するものである。
【背景技術】
【０００２】  家庭で、電動のやすりまたはその他のやすりを用いて、人体のかかとの角質や工作の材料を削る時は、従来は紙等を敷いて、その上で行っていた。集塵機は、家庭でのわずかな作業のために用意するには、高価かつ大きいため、容易に購入して使用する対象とはなっていない。
【考案の概要】
【考案が解決しようとする課題】
【０００３】  電動のやすりまたはその他のやすりは、連続して素早く擦る動きにより、削ったものを細かい粒子にする道具である。そのため、削り粉は、落下するだけではなく、空気中に大量に舞い上がってしまう。したがって、従来の紙等を敷く方法では、削り粉で部屋を汚すこと、および人が吸い込むことを防止出来ていない。その点が本考案の解決しようとする課題である。
【課題を解決するための手段】
【０００４】  本考案は、やすりがけ作業に対する可視性を損なわないように、内部が見える透明なフィルムで作られていて、やすりを持った手の差し入れ口とやすりがけの対象となる足や工作の材料の差し入れ口をもち、内部に作業する空間を確保した、やすりがけ作業をする空間全体を覆うことで削り粉の飛散を防止しようとするドーム状のカバーである。
【考案の効果】
【０００５】  本考案の削り粉飛散防止カバーは、やすりがけ作業の空間を全体的に覆うため、削り粉の飛散をほぼ防止出来る。飛散が発生するとしても差し入れ口と手足の間のわずかな隙間からのわずかな量しか、その可能性がない。そのため、不衛生だったり人体に有害だったりする削り粉で部屋を汚すことや、そういった削り粉を人が吸い込んでしまう煩わしさが激減し、やすりがけ作業に気楽に取り組むことが出来るようになるという効果がある。
【図面の簡単な説明】
【０００６】
【図１】削り粉飛散防止カバーの実施方法を示した正面図である。
【符号の説明】
【０００７】１  透明なフィルム
２  やすりを持った手の差し入れ口
３  やすりがけの対象となる足や工作の材料の差し入れ口
【図１】
0003178318.tif 000003
(57)【要約】【課題】コンクリート製および金属製側溝蓋の重量とグレーチングの盗難対策に伴う作業性の問題と、それを改善するために開発されたプラスチック製の側溝蓋の成形性の低さを改良した側溝蓋を提供する。【解決手段】側溝蓋の製造に際し、再生可能資源である竹由来の微細な短繊維を含む粉末をプラスチックに混和することで比重を増大させて水に浮かないようにし、プラスチックの良好な溶融成形性を維持することで多孔構造を形成して排水性の向上を図る。さらに、竹粉中の繊維成分により機械的強度を高める。これにより、作業性、成形性、機械的物性、さらに排水性に優れた側溝蓋を提供する。【選択図】図１
0003178915.tif 000002
【実用新案登録請求の範囲】
【請求項１】
少なくとも８０％以上が長径１０００μｍ以下の竹粉とプラスチックが１０：９０から８０：２０重量比からなる組成物を溶融成形によって作製した成形体であり、掛部（１）と複数の排水用円形孔（２）と滑り止め用模様（３）を設けたことを特徴とする側溝蓋。
【請求項２】
排水用の円形孔（２）は、その直径が５〜５０ｍｍであり、その総面積は蓋上面積の１〜３０％である事を特徴とする請求項第１項記載の側溝蓋。
【請求項３】
排水用の円形孔（２）は、詰まり防止のため下方に向かって拡大するテーパー状となっている事を特徴とする請求項第１および２項記載の側溝蓋。
【請求項４】
プラスチックが回収リサイクル品であることを特徴とする請求項1〜３項記載の側溝蓋。
【考案の詳細な説明】
【技術分野】
【０００１】
本考案は、再生可能資源を有効利用し、軽量で作業性に優れた側溝用の蓋に関するものである。
【背景技術】
【０００２】
車両走行道路等に付属している側溝には、コンクリート製の蓋、もしくはグレーチングと呼ばれる鋼材を格子状に組んだ溝蓋が設置されている。従来、側溝の蓋は、トラックのクレーン吊り具を使用して、本体を上げたり下げたりして、所要の作業をしているが、重くて取り扱いにくいので作業性が悪く、自動車等の輪荷重に対応して滑り、騒音、がたつき等の問題点があった。これらの蓋は、車両の通行に対して十分な強度がある反面、その重量が非常に重く、設置や修復の際に作業性が悪い。また、グレーチングの場合は、金属のため高価であるばかりでなく、盗難に遭いやすく、グレーチング同士を連結させるなどの対策が取られており、作業性の低下を招いている。
【０００３】
上記のような作業性の悪さを改善するためにプラスチック製の溝蓋が開発されている。しかし、プラスチックの比重は軽く水に浮いてしまうため、金属性の補強筋入れたり（特許文献１）、コンクリートや砂利などの重量物を載せたり（特許文献３）、骨材を混和する（特許文献３）などの方法で重くする対策が取られている。しかし、このような方法は、プラスチックの最大の特徴である溶融成形性を低下もしくは不可能にしてしまうという問題点があった。
【先行技術文献】
【特許文献】
【０００４】
【特許文献１】特開平８−８１９３７号公報
【特許文献２】特開２０００−３４７０１号公報
【特許文献３】実開平３−２９５８２号公報
【考案の概要】
【考案が解決しようとする課題】
【０００５】
本考案が解決しようとする課題は、コンクリート製および金属製側溝蓋の重量とグレーチングの盗難対策に伴う作業性の問題点と、それを改善するために開発されたプラスチック製の側溝蓋の成形性の低さに関する問題点である。
【課題を解決するための手段】
【０００６】
本考案は、再生可能資源である竹由来の微細な短繊維を含む粉末をプラスチックに混和することで、プラスチックの溶融成形性を維持したまま、比重を増大させて水に浮かないようにし、さらに機械的強度を高めることを特徴とする。
【０００７】
水蒸気処理後に粉砕して得られる１０００μｍ以下の微細な竹繊維の引張強度は、約４０MPa以上であり、さらにそのみかけ比重は約1.３である。したがって、この竹繊維を含む竹粉をプラスチックに対して、１０：９０から８０：２０の重量比でブレンドすることにより、プラスチックの機械的強度と比重増大に寄与する。
【０００８】
本考案で用いるプラスチックとしては、家電リサイクル法、自動車リサイクル法、容器包装リサイクル法などの法律に基づき回収分別されたプラスチック類が好適に用いられる。具体的には、ポリプロピレン主体成分、ＡＢＳ樹脂やＡＳ樹脂などのスチレン系プラスチック成分、およびポリエチレンテレフタレート（ＰＥＴ）系樹脂などの熱溶融性樹脂である。さらに、コンパクトディスクなどに用いられるポリカーボネート系樹脂も好ましく用いられる。
【考案の効果】
【０００９】
本考案の側溝蓋は、コンクリート製や金属製に比べて軽量であるため、作業性に富み、溶融成形可能であるため、複雑な形状や表面の滑り止め用模様の付与も容易である。
【００１０】
本考案の側溝蓋は、再生可能資源である竹粉を含有しているため、製造に伴う炭酸ガス発生抑制に寄与する。さらに、プラスチックとして、回収分別品をリサイクルすることができ、さらなる炭酸ガス発生抑制に寄与する。
【００１１】
本考案に付与された排水用の円形孔は、その直径が５〜５０ｍｍであるため、子供の靴が嵌る危険性はなく、また、その総面積が蓋上面積の１〜３０％、好ましくは３〜２０％を占めるため、効果的な排水が可能である。さらに、下方に向かって拡大するテーパー状となっているため、孔内部で閉塞状態となることがない。なお、この円形孔は、真円である必要はなく、溶融成形性に応じて楕円体であることも好適に選択可能である。
【００１２】
本考案に付与された滑り止め用の模様は、滑り止めの機能を有するものであれば特に限定されないが、好適には、粗面模様、線状模様、円形模様、多角形模様などが単独もしくは組み合わされて、本考案の側溝蓋の上表面上に凹凸模様として付与される。
【００１３】
本考案の側溝蓋は、外周の所定位置を欠いて掛部としているため、設置および修復時に作業性が容易である。
【図面の簡単な説明】
【００１４】
【図１】図１は本考案の側溝蓋の概観図ある。（実施例１）
【図２】図２は、本考案の側溝蓋の例の第三角法における正面図、上面図、底面図、右側面図、孔断面図である。（実施例１）
【図３】図３は、本考案の側溝蓋の使用状態の例である。。（実施例１）
【考案を実施するための形態】
【００１５】
良好な設置および修復の作業性、成形性、および排水性を再生可能資源である竹粉をプラスチックとブレンドし、溶融成形することによって実現した。
【実施例１】
【００１６】
図１は、本考案の側溝蓋の概観図である。図２は、本考案の側溝蓋の例の第三角法における正面図、上面図、底面図、右側面図、孔断面図である。ここに、例示した図は、直径１０ｍｍの円形孔を４６個付与し、その総面積は、蓋上面積の３％に相当する。図３は、本考案の側溝蓋の使用状態の例である。
【符号の説明】
【００１７】
１    掛部
２    円形孔
３    滑り止め用模様
４    側溝本体
【図１】
0003178915.tif 000003
【図２】
0003178915.tif 000004
【図３】
0003178915.tif 000005
(57)【要約】      （修正有）【課題】乗用車・トラックに準じたハンドリング操作を可能としたフォークリフトを提供する。【解決手段】ハンドル操作側主軸１と副軸３の間に乗用車・トラックに準じた対策用バックギア―２を噛み合わせことによって主軸に対し副軸は逆回転する。【選択図】図１
0003178987.tif 000002
【実用新案登録請求の範囲】
【請求項１】
ハンドル操作側主軸と副軸の間に他の歯車を噛み合わせることによった乗用車・トラックに準じたハンドリング対策フォークリフト。
【考案の詳細な説明】
【技術分野】
【０００１】
本考案は、従来のフォークリフトに於ける乗用車・トラックに準じたハンドリング対策を構じたフォークリフトに関する。
【０００２】
車体の中央の運転席でハンドルは左手で、ノブを握って操作する後輪を使って操向する前車軸を中心に回転するので、回転半径が小さいフォークリフトがあります。
【考案の概要】
【考案が解決しようとする課題】
【０００３】
しかしながら、車体の右側（国産車）の運転席でハンドルは基本的には両手でしっかり握る事により前輪を使って操向するので、前輪の軌道が膨らむので回転半径が大きい乗用車・トラックのハンドル操作に順応しているため、前述の後輪を使って操向するフォークリフトは  異なっている点を有しておりフォークリフトのハンドリング対策の必要があるという欠点がある。
【０００４】
本考案は、上記実情を鑑みてなされたものであり、順応している乗用車・トラックのハンドリングに準じたハンドリングのフォークリフトとなっている。
【課題を解決するための手段】
【０００５】
上記目的を達成するため考案は、ハンドリングの回転の対応が対策としての次の構成を含むことを特徴としている。
ハンドル操作側主軸と副軸の間に乗用車・トラックのハンドル操作に準じる対策用バックギア―を噛み合わせることによったハンドリング対策フォークリフト構成とする。
【考案の効果】
【０００６】
本考案により、そのハンドル操作が順応している乗用車・トラックのそれに対応したハンドル操作の伴う対策用バックギア―の噛み合わせ効果が出るハンドリング対策フォークリフトができる。
【図面の簡単な説明】
【０００７】
【図１】本考案のハンドリング対策フォークリフトである。
【考案を実施するための形態】
【０００８】
本考案の実施の形態の一例について図面を参照しながら説明する。
ハンドリング対策フォークリフトは図１に示すようにハンドル操作側主軸１、と副軸３、の間に対策用バックギア―２で構成されるものである。
【符号の説明】
【０００９】
1.  主軸（ハンドル操作側）
2.  バックギア―（対策用）
3.  副軸
【図１】
0003178987.tif 000003
(57)【要約】      （修正有）【課題】イヤホンの２本のスピーカコードに関しコードの絡みを予防した伸縮式イヤホン袋を提供する。【解決手段】イヤホン不使用時はイヤホンの１本の出力端子コードから２本のスピーカコードに分かれる分岐部分に布製の長形の袋の一端を固定し、もう一端をスピーカ部分まで包むことにより２本のコードの絡みを解決することができる。イヤホン使用時は固定されていない袋の一端をコード分岐部分まで下げることで両耳用イヤホンとして使用できる。【選択図】図１
0003178927.tif 000002
【実用新案登録請求の範囲】
【請求項１】
２本のイヤホンスピーカコードを１端がコード分岐部に固定された袋に収納することでスピーカコードの絡み防止をはかる。
【考案の詳細な説明】
【技術分野】
【０００１】
本考案は、イヤホンの２つのスピーカコードの絡み防止に関するものである。
【背景技術】
【０００２】
従来のイヤホンコードの絡み防止に関しては、イヤホンジャックから２つのスピーカコードまでの一本のコードに対応する技術である。
【考案の概要】
【考案が解決しようとする課題】
【０００３】
課題は、イヤホン不使用時の２本のスピーカコードの絡み防止である。加えてイヤホン収納袋がイヤホン使用を安易にする為軽量にすることにある。
【課題を解決するための手段】
【０００４】
本考案は、イヤホン不使用時２本のスピーカケーブル部分を収納袋に収納することにある。加えてイヤホン袋は軽量で伸縮性が必要な点で布性を使用。
【考案の効果】
【０００５】
本考案は、イヤホン不使用時２本のスピーカコード部分を収納袋に収納することで２本のスピーカコードの絡みを防止できる点にある。
【図面の簡単な説明】
【０００６】
【図１】はイヤホン不使用時のイヤホン収納袋の説明図である。
【図２】はイヤホン 使用時のイヤホン収納袋の説明図である。
【考案を実施するための形態】
【０００７】
イヤホン収納時、袋にスピーカが入ってしまわないように袋上部の形状を工夫。加えて、イヤホンジャックからの１本のコードから２つのスピーカコードへ分岐する部分でイヤホン収納袋の下部を固定できるようにした。
【実施例】
【０００８】
図１は本考案のイヤホン収納袋を装着しイヤホン不使用時の実施例である。
【０００９】
図２は本考案のイヤホン収納袋を装着しイヤホン使用時の実施例である。
【図１】
0003178927.tif 000003
【図２】
0003178927.tif 000004
【手続補正書】
【提出日】平成24年4月28日(2012.4.28)
【手続補正１】
【補正対象書類名】実用新案登録請求の範囲
【補正対象項目名】全文
【補正方法】変更
【補正の内容】
【実用新案登録請求の範囲】
【請求項１】
・２本のイヤホンスピーカコードを１端がコード分岐部に固定された袋に収納す
ることでスピーカコードの絡み防止を特徴とする伸縮式イヤホン袋。
【手続補正書】
【提出日】平成24年8月5日(2012.8.5)
【手続補正１】
【補正対象書類名】実用新案登録請求の範囲
【補正対象項目名】全文
【補正方法】変更
【補正の内容】
【実用新案登録請求の範囲】
【請求項１】
・伸縮式イヤホン収納袋であって、長形の収納袋の一端がイヤホンスピーカコードの分岐部分に固定され、他端がスピーカが入ってしまわない大きさで開口しており、イヤホン使用に合わせて２本のスピーカコードを出し入れできる伸縮可能な布製であることを特徴とする伸縮式イヤホン袋
(57)【要約】      （修正有）【課題】安定して立てかけておける傘を提供する。【解決手段】傘の取っ手、先端、ビニール部又は骨組みのいずれかに磁石を取りつける。【選択図】図１
0003178925.tif 000002
【実用新案登録請求の範囲】
【請求項１】
傘の取っ手または、先端または、ビニール部または、骨組部のいずれかに磁石を取り付けまたは、貼り付けまたは、接着または、内蔵または、はめ込み式または、組み込み式のいずれかを使用し、周辺にあるロッカーや玄関等に安定して取り付けておけるようにし、また磁力を含んだ素材を使用することに特徴を持ち、利便性、デザイン性を向上する上でのあらゆる使用方法にて磁石を使用することに特徴を持つ傘
【請求項２】
前記記載の請求項１は磁石を内蔵または、取り付けをするものだが傘本体とは別に磁石を使用したアタッチメントまたは、パーツまたは、グッズまたは、部品のいずれかを製作し、前記記載の請求項１の効果と同様な特徴を持つ傘のアタッチメントまたは、パーツまたは、グッズまた、部品
【考案の詳細な説明】
【技術分野】
【０００１】  本考案は従来の傘では出来なかった、傘単体での安定した固定または、立てかけを実現するものであり、ロッカーや玄関などに安定した立てかけを実現するものである。
また、さまざまな傘の不便な点を改善するために磁石を使用する
【背景技術】
【０００２】従来の傘では使用後、使用前に傘立て、掛ける場所等がある場所でないと安定した状態で置いておけず、壁などに立てかけるだけではすぐに何かの拍子に倒れてしまい傘が汚れる、また手が濡れるなどが起こってしまう。そして近年においては、類似商品との差別化および需要者の購買意欲を喚起するためにいろいろな工夫を施すことが重要になっている。
【先行技術文献】
【特許文献】
【０００３】
【特許文献１】なし
【特許文献２】なし
【非特許文献】
【０００４】
【非特許文献１】なし
【非特許文献２】なし
【考案の概要】
【考案が解決しようとする課題】
【０００５】従来の傘では傘立て、掛ける場所がなければ安定して置いておけず不安定でありただ立てかけるだけでは地面に倒れてしまうことがあった。
また傘にはまだまだ不便な点があり、傘を閉じた場合に露先のまとまりが悪いなど改善点は多いことから磁石を使用することで改善する。
【課題を解決するための手段】
【０００６】傘本体に磁石を取り付けまたは、貼り付けまたは、設置または内蔵する、もしくは磁石を使用したアタッチメントまたは、パーツまたは、グッズまたは、部品を製作し周辺にあるロッカーや玄関などに安定して取り付けておけるようにする。またその磁石を使って傘を乾かすことができるようにする。
【考案の効果】
【０００７】傘を安定して置いておける場所が増え、また傘を乾かす際にも応用できる。そして傘の様々な課題、不便性を改善できる。またデザイン性向上のために磁石を使用することができるため現状の傘とは違う価値を創造でき商品の付加価値を高め購買意欲を喚起する
【図面の簡単な説明】
【０００８】
【図１】は本考案が磁石によりロッカーや玄関に固定されている様子を真横から見た図である
【図２】本願考案の傘の先端に磁石がついてる図
【図３】本願考案の傘の取っ手に磁石がついてる図
【考案を実施するための形態】
【０００９】本考案はデザイン性と請求項を考慮し、最も目的とする効果を出せる形状とする。
また使用方法は従来と変わらずに使用ができ、製造方法は必要とする効果のある素材を使い、それに伴う強度をもつ素材で傘を作る
【実施例】
【００１０】本考案は家庭、各個人、関係会社等において傘を使用する場面での利便性が考慮されていることを特徴に持つ
【産業上の利用可能性】
【００１１】本考案の請求項に基づく上で、傘関係会社、製造会社、傘販売店にて傘として、または同様の効果をあらわす物に利用可能である
【符号の説明】
【００１２】１・・・・・・・取っ手についてる磁石
２・・・・・・・ロッカーや玄関
３・・・・・・・先端についてる磁石
【図１】
0003178925.tif 000003
【図２】
0003178925.tif 000004
【図３】
0003178925.tif 000005
【手続補正書】
【提出日】平成23年12月19日(2011.12.19)
【手続補正１】
【補正対象書類名】実用新案登録請求の範囲
【補正対象項目名】全文
【補正方法】変更
【補正の内容】
【実用新案登録請求の範囲】
【請求項１】
傘の取手または、先端または、ビニール部または、骨組部のいずれかに磁石を取り付けまたは、貼り付けまたは、接着または、内蔵または、はめ込み式または、組み込み式のいずれかを使用し、周辺にあるロッカーや玄関等に安定して取り付けておけるようにし、また磁力を含んだ素材を使用することに特徴を持つ傘。
【請求項２】
アタッチメントまたは、パーツまたは、グッズまたは、部品にも
磁石を使用し、前記記載の請求項１の効果と同様な特徴を持つ傘であることを特徴とする請求項１に記載の傘。
【手続補正書】
【提出日】平成24年4月10日(2012.4.10)
【手続補正１】
【補正対象書類名】実用新案登録請求の範囲
【補正対象項目名】全文
【補正方法】変更
【補正の内容】
【実用新案登録請求の範囲】
【請求項１】
傘の取手または、先端または、ビニール部または、骨組部のいずれかに磁石を取り付けまたは、貼り付けまたは、接着または、内蔵または、はめ込み式または、組み込み式のいずれかを使用し、周辺にあるロッカーや玄関等に安定して取り付けておけるようにした磁石を使用することに特徴を持つ傘。
【請求項２】
アタッチメントまたは、パーツまたは、グッズまたは、部品にも磁石を使用し、傘に取り付け式の前記記載の請求項１の効果と同様な特徴を持つ傘であることを特徴とする請求項１に記載の傘
【手続補正書】
【提出日】平成24年7月17日(2012.7.17)
【手続補正１】
【補正対象書類名】実用新案登録請求の範囲
【補正対象項目名】全文
【補正方法】変更
【補正の内容】
【実用新案登録請求の範囲】
【請求項１】
傘の取っ手または、先端または、ビニール部または、骨組みのいずれかに磁石を取り付けまたは、貼り付けまたは、接着または、内臓または、はめ込み式または、組み込みした傘。
【請求項２】
請求項１に記載の傘に用いられる磁石を備えたアタッチメントまたはパーツまたはグッズまたは、部品。
(57)【要約】      （修正有）【課題】カメラの速写ケースに親指用グリップを付けしっかり握る事ができるようにした親指グリップ付カメラの連写ケースを提供する。【解決手段】速写ケースの背面右側上部が山型になるよう内側同士を縫い合わせ、その飛び出し部分を親指用グリップとして利用する事でケースをしっかり握れるようにした。【選択図】図２
0003178930.tif 000002
【実用新案登録請求の範囲】
【請求項１】
カメラの速写ケースの背面右側上部の内側同士を合わせて縫い合わせ、それによって形成された出っ張りを親指用グリップとして使用する速写ケースの形状
【考案の詳細な説明】
【技術分野】
【０００１】本考案はカメラの速写ケースの背面の形状を工夫する事でカメラを握った時、親指をケースに引っかけしっかり握ることができるようにしたものである。
【背景技術】
【０００２】従来はカメラ用速写ケースでケース自体の形を利用した親指用のグリップが付いているものがなかった。
【考案の概要】
【考案が解決しようとする課題】
【０００３】従来のカメラの速写ケースではケースを装着する事でカメラ本体の親指をのせる部分が隠れ、ケースを装着する前よりしっかり握れなくなる場合があった。本考案はこの課題を解消するためになされたものである。
【課題を解決するための手段】
【０００４】速写ケースの背面、右側の上部を山型になるよう縫い合わせ、その飛び出しを親指用グリップとして利用する事でケースをしっかり握れるようにした。
【考案の効果】
【０００５】親指グリップが付いた事により速写ケースををしっかり握る事ができる。
【図面の簡単な説明】
【０００６】
【図１】本考案の上からの平面図
【図２】本考案の立体図
【図３】本考案の背面からの平面図
【図４】本考案の側面からの平面図
【符号の説明】
【０００７】１  速写ケース側面
２  出っ張り部
３  速写ケース底面
４  縫い糸
【図１】
0003178930.tif 000003
【図２】
0003178930.tif 000004
【図３】
0003178930.tif 000005
【図４】
0003178930.tif 000006
【手続補正書】
【提出日】平成24年7月18日(2012.7.18)
【手続補正１】
【補正対象書類名】実用新案登録請求の範囲
【補正対象項目名】全文
【補正方法】変更
【補正の内容】
【実用新案登録請求の範囲】
【請求項１】
カメラの速写ケースであって、速写ケースの背面右側上部が山型になるように内側同士を縫い合わせたことを特徴とする親指グリップ付きカメラの速写ケース